【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
移動装置にハイパーテキストコンテンツを提供するためのコンピュータ実行方法であって、
コンテンツと、画像、広告材料、及び複数の類似にフォーマットされたハイパーリンクのうち少なくとも一つとを有するネットワークアクセス可能な電子文書を取得する過程と、
第１の代替表示要素に置換するためにネットワークアクセス可能な電子文書の第１の部分として、画像、広告材料、及び複数の類似にフォーマットされたハイパーリンクのうち少なくとも一つを識別する過程であって、第１の代替表示要素は、移動装置によって表示するためにネットワークアクセス可能な電子文書の識別された第１の部分を置換する、過程と、
ネットワークアクセス可能な電子文書の識別された第１の部分に基づき第１の代替表示要素を作成するための第１のコードを生成する過程であって、第１の代替表示要素は、ネットワークアクセス可能な電子文書の識別された第１の部分よりも表示サイズが小さく、第１の代替表示要素は、識別された第１の部分を代表する移動装置によって表示されるべきコンテンツと、選択時に識別された第１の部分の表示の要求を送信するよう構成される関連リンクとを含む、過程と、
ネットワークアクセス可能な電子文書の識別された第１の部分に対するコードを、ネットワークアクセス可能な電子文書の対応する識別された第１の部分とは映像上分離した外観を有する第１の代替表示要素に対する生成された第１のコードに置換することによって、ネットワークアクセス可能な電子文書を、移動装置から分離したトランスコーダで再フォーマットする過程と、
移動装置上の第１のページに表示するために第１の代替表示要素に対する生成された第１のコードとネットワークアクセス可能な電子文書の少なくとも一部のコンテンツとを提供する過程と
を具備することを特徴とする方法。
【請求項２】
ネットワークアクセス可能な電子文書を取得する前にネットワークアクセス可能な電子文書に対する移動装置からの要求を受信する過程をさらに具備することを特徴とする請求項１に記載のコンピュータ実行方法。
【請求項３】
類似にフォーマットされたハイパーリンクは、隣接したハイパーリンクであることを特徴とする請求項１に記載のコンピュータ実行方法。
【請求項４】
ネットワークアクセス可能な電子文書の識別された第１の部分を記憶する過程と、
ネットワークアクセス可能な電子文書の識別された第１の部分に関連付けられる識別子を記憶する過程であって、記憶された識別子は、ネットワークアクセス可能な電子文書の識別された第１の部分の表示を要求するために第１の代替表示要素の関連リンクによって使用される、過程と
をさらに具備することを特徴とする請求項１に記載のコンピュータ実行方法。
【請求項５】
関連リンクの一部として第１の代替表示要素を識別子に提供する過程をさらに具備することを特徴とする請求項４に記載のコンピュータ実行方法。
【請求項６】
第１の代替表示要素を選択する入力を受信する過程と、
第１の代替表示要素を選択する入力の受信に応答して、ネットワークアクセス可能な電子文書の識別された第１の部分に対するコードに第１の代替表示要素に対する生成された第１のコードを置換することによって、第１の代替表示要素を識別された第１の部分に再フォーマットする過程と、
移動装置上の第２のページに表示するためにネットワークアクセス可能な電子文書の識別された第１の部分と、第１のページに表示するために提供されたフォーマットでネットワークアクセス可能な電子文書の少なくとも一部のコンテンツとを提供する過程と、
第１の代替表示要素とは異なり、ネットワークアクセス可能な電子文書の識別された第１の部分に関連付けられる追加の表示要素をさらに提供する過程と
をさらに具備することを特徴とする請求項１に記載のコンピュータ実行方法。
【請求項７】
第１の代替表示要素を選択する入力と共に識別子を受信する過程であって、前記識別子は、第１の拡張可能表示要素が再フォーマットされるべき、ネットワークアクセス可能な電子文書の識別された第１の部分を含む、予め記憶された画像、広告材料、又は複数のハイパーリンクを識別する、過程をさらに具備することを特徴とする請求項６に記載のコンピュータ実行方法。
【請求項８】
追加の表示要素を選択する入力を受信する過程と、
追加の表示要素に関連付けられるネットワークアクセス可能な電子文書の識別された第１の部分を再フォーマットする過程と、
移動装置上の第３のページに表示するために第１の代替表示要素と移動装置の第２のページに表示された少なくとも一部のコンテンツとを提供する過程と
をさらに具備することを特徴とする請求項６に記載のコンピュータ実行方法。
【請求項９】
第２の代替表示要素に置換するためにネットワークアクセス可能な電子文書の第２の部分として、他の画像、他の広告材料、及び他の複数の類似にフォーマットされたハイパーリンクのうち少なくとも一つを識別する過程であって、第２の代替表示要素は、移動装置によって表示するためにネットワークアクセス可能な電子文書の識別された第２の部分を置換する、過程と、
ネットワークアクセス可能な電子文書の識別された第２の部分に基づき第２の代替表示要素を作成するための第２のコードを生成する過程であって、第２の代替表示要素は、ネットワークアクセス可能な電子文書の識別された第２の部分よりも表示サイズが小さく、第２の代替表示要素は、識別された第２の部分を代表する移動装置によって表示されるべきコンテンツと、選択時に識別された第２の部分の表示の要求を送信するよう構成される関連リンクとを含む、過程と、
ネットワークアクセス可能な電子文書の識別された第２の部分に対するコードを、第２の代替表示要素に対する生成された第２のコードに置換することによって、ネットワークアクセス可能な電子文書を再フォーマットする過程と、
移動装置上の第１のページに表示するために第２の代替表示要素を提供する過程と
をさらに具備することを特徴とする請求項１に記載のコンピュータ実行方法。
【請求項１０】
移動装置にデジタルコンテンツを提供するためのシステムであって、
移動装置から入力を受信するインタフェースと、
複数の類似にフォーマットされたハイパーリンク、画像、又は広告材料からなるネットワークアクセス可能な文書であって、他のコンテンツをさらに備える、前記ネットワークアクセス可能な文書を、受信された入力に応答して取得する自動情報ギャザラと、
移動装置から分離したトランスコーダであって
第１の代替表示要素に置換するためにネットワークアクセス可能な電子文書の第１の部分として、複数の類似にフォーマットされたハイパーリンク、画像、及び広告のうち少なくとも一つを識別し、第１の代替表示要素は、移動装置によって表示するためにネットワークアクセス可能な電子文書の識別された第１の部分を置換し、
ネットワークアクセス可能な電子文書の識別された第１の部分に基づき第１の代替表示要素を作成するよう第１のコードを生成し、第１の代替表示要素は、ネットワークアクセス可能な電子文書の識別された第１の部分よりも表示サイズが小さく、第１の代替表示要素は、識別された第１の部分を代表する移動装置によって表示されるべきコンテンツと、選択時に識別された第１の部分の表示の要求を送信するよう構成される関連リンクとを含み、
ネットワークアクセス可能な電子文書の識別された第１の部分に対するコードを、ネットワークアクセス可能な電子文書の対応する識別された第１の部分とは映像上分離した外観を有する第１の代替表示要素に対する生成された第１のコードに置換することによって、取得されたネットワークアクセス可能な文書を再フォーマットする、
よう構成されるトランスコーダと、
移動装置上の第１のページに表示するために第１の代替表示要素に対する生成されたコードと少なくとも一部の他のコンテンツとを提供するインタフェースと
を具備することを特徴とするシステム。
【請求項１１】
トランスコーダは、移動装置に関連付けられるパラメータに基づき、取得されたネットワークアクセス可能な文書を再フォーマットすることを特徴とする請求項１０に記載のシステム。
【請求項１２】
パラメータは、入力と共に移動装置から受信されることを特徴とする請求項１１に記載のシステム。
【請求項１３】
パラメータは、Wireless Universal Resource File （ＷＵＲＦＬ）と、各種移動装置に関する特定情報を提供する他のネットワークアクセス可能なファイルとからなるグループから取得されることを特徴とする請求項１１に記載のシステム。
【請求項１４】
自動情報ギャザラは、移動装置に代わりネットワークアクセス可能な文書を取得するためにプロキシとして機能することを特徴とする請求項１０に記載のシステム。
【請求項１５】
取得されたネットワークアクセス可能な文書を再フォーマットするために、トランスコーダは、文書を解析し、ネットワークアクセス可能な文書の第１の部分を識別し、第１の代替表示要素に置換することを特徴とする請求項１０に記載のシステム。
【請求項１６】
第１の部分は、文書で互いに近く隣接する一連のリスト要素と、画像と、広告材料ソースから広告材料を表示又は検索するコードとからなるグループから選択されることを特徴とする請求項１５に記載のシステム。
【請求項１７】
移動装置にデジタルコンテンツを提供するためのシステムであって、
移動装置から入力を受信するインタフェースと、
複数の類似にフォーマットされたハイパーリンク、画像、又は広告材料を有するネットワークアクセス可能な文書であって、他のコンテンツをさらに備えるネットワークアクセス可能な文書を、受信された入力に応答して取得する自動情報ギャザラと、
移動装置から分離した手段であって、
第１の代替表示要素に置換するためにネットワークアクセス可能な電子文書の第１の部分として、複数の類似にフォーマットされたハイパーリンク、画像、及び広告材料のうち少なくとも一つを識別し、第１の代替表示要素は、移動装置によって表示するためにネットワークアクセス可能な電子文書の識別された第１の部分を置換し、
ネットワークアクセス可能な電子文書の識別された第１の部分に基づき第１の代替表示要素を作成するために第１のコードを生成し、第１の代替表示要素は、ネットワークアクセス可能な電子文書の識別された第１の部分よりも表示サイズが小さく、第１の代替表示要素は、識別された第１の部分を代表する移動装置によって表示されるべきコンテンツと、選択時に識別された第１の部分の表示の要求を送信するよう構成される関連リンクとを含み、
ネットワークアクセス可能な電子文書の識別された第１の部分に対するコードを、ネットワークアクセス可能な電子文書の対応する識別された第１の部分とは映像上分離した外観を有する第１の代替表示要素に対する生成された第１のコードに置換することによって、取得されたネットワークアクセス可能な電子文書を再フォーマットする
ことによって、取得されたネットワークアクセス文書を再フォーマットするための手段と、
移動装置上の第１のページに表示するために第１の代替表示要素に対する生成されたコードと、少なくとも一部の他のコンテンツとを提供するインタフェースと
を具備することを特徴とするシステム。
【請求項１８】
移動装置は、携帯電話、スマートフォン、無線可能な個人デジタルアシスタント、無線可能な車両通信装置、及びインターネットからコンテンツを受信する移動装置からなるグループから選択されることを特徴とする請求項１７に記載のシステム。
【請求項１９】
取得されたネットワークアクセス可能な文書のうち少なくとも一部は、ＨＴＭＬ（ハイパーテキストマークアップ言語）、ＸＨＴＭＬ（拡張可能ＨＴＭＬ）、ＸＭＬ（拡張可能マークアップ言語）、ＷＭＬ（無線マークアップ言語）、ジャバスクリプト、及びＡＳＰ（アクティブサーバページ）フォーマットからなるグループから選択されるフォーマットを有することを特徴とする請求項１７に記載のシステム。
【請求項２０】
第１の代替表示要素及び少なくとも一部の他のコンテンツは、ＸＨＴＭＬ（拡張可能ハイパーテキストマークアップ言語）及びＷＭＬ（無線マークアップ言語）からなるグループから選択されるフォーマットで移動装置上の第１のページに表示するために提供されることを特徴とする請求項１７に記載のシステム。
【請求項２１】
移動装置にハイパーテキストコンテンツを提供するコンピュータ実装方法であって、
コンテンツを有するネットワークアクセス可能な電子文書と、複数のハイパーリンクを含むナビゲーションメニューとを取得する過程と、
代替表示要素によって置換するためにナビゲーションメニューを識別する過程であって、代替表示要素は、移動装置によって表示するためにネットワークアクセス可能な電子文書のナビゲーションメニューを置換する、過程と、
ナビゲーションメニューに基づき代替表示要素を作成するためのコードを生成する過程であって、代替表示要素は、ナビゲーションメニューよりも表示サイズが小さく、代替表示要素は、ナビゲーションメニューを代表する移動装置によって表示されるべきコンテンツと、選択時にナビゲーションメニューの表示のための要求を送信するよう構成される関連リンクとを含む、過程と、
ナビゲーションメニューの複数のハイパーリンクの代わりに表示するために、ナビゲーションメニューに対するコードを代替表示要素に対する生成されたコードに置換することによって、ネットワークアクセス可能な電子文書を、移動装置から分離したトランスコーダで再フォーマットする過程と、
情報の単一ページで移動装置上に表示するために、代替表示要素に対する生成されたコードと、ネットワークアクセス可能な電子文書の少なくとも一部のコンテンツとを提供する過程と、を具備し、
代替表示要素に対する生成されたコードを提供する過程は、代替表示要素の移動装置における選択によって情報の単一ページが更新されるように代替表示要素を構成する過程であって、情報の更新された単一ページは、移動装置上にコンテンツの一部と共に表示されるべきナビゲーションメニューに複数のハイパーリンクを含む、過程を具備することを特徴とする方法。
【請求項２２】
ナビゲーションメニューにおける複数のハイパーリンクの各々は、その選択時、ネットワークアクセス可能な文書の他の一部、又は異なるネットワークアクセス可能な文書を移動装置上に表示させるよう構成されることを特徴とする請求項２１に記載のコンピュータ実行方法。